(57)【要約】【課題】電源電力の無駄な消費を抑制し、安価かつ簡単な構造で、暗くなったときに自動的に点灯し、所定時間後に自動的に消灯する照明装置を提供。【解決手段】上記課題は、光を感知して感知信号を出力するセンサ手段と、当該感知信号に基づいて電荷を蓄積するコンデンサ手段と、前記センサ手段から感知信号が出力されないとき、前記コンデンサ手段からの前記蓄積された電荷の放電の間導通を得るスイッチ手段と、当該スイッチ手段の導通の間点灯する発光手段を備える照明装置とすることによって達成することができる。【選択図】図１
2007149538.tif 000002
【特許請求の範囲】
【請求項１】
光を感知して感知信号を出力するセンサ手段と、当該感知信号に基づいて電荷を蓄積するコンデンサ手段と、前記センサ手段から感知信号が出力されないとき、前記コンデンサ手段からの前記蓄積された電荷の放電の間導通を得るスイッチ手段と、当該スイッチ手段の導通の間点灯する発光手段を備えたことを特徴とする照明装置。
【請求項２】
請求項１記載の照明装置において、
前記センサ手段は、フォトトランジスタであることを特徴とする照明装置。
【請求項３】
請求項１または２記載の照明装置において、
前記スイッチ手段は、前記コンデンサ手段からの電荷の放電によって作動するトランジスタとダーリントン接続したトランジスタによって構成されることを特徴とする照明装置。
【発明の詳細な説明】
【技術分野】
【０００１】
本発明は、照明装置に係り、特に、暗くなったときに自動的に点灯し、所定時間後に自動的に消灯する照明装置に関するものである。
【背景技術】
【０００２】
トイレや洗面室等人が比較的短時間だけ利用する部屋に使用される照明装置として、省エネルギーの観点から、人が利用する間だけ点灯する照明が開発されている。この照明は、人が用済み後、直ちに消灯すると出口扉やその把手の位置を確認できないほど暗くなる場合があり、危険であるだけでなく、人に苛立ち感を抱かせることになる。そのため、室内の消灯を感知して自動的に小さいランプを点灯する常夜灯を設置したり、人の用済みを感知後、照明の消灯を一定時間遅延させて消灯する時限装置付きの照明装置を設置することが提案されている。(例えば、特許文献１参照)
【特許文献１】特開平７−１３０４７５号公報
【発明の開示】
【発明が解決しようとする課題】
【０００３】
しかしながら、前述のように、常夜灯を使用する場合には、人が退室した後にも連続して点灯し続け、電力を無駄に消費してしまうという問題があり、時限装置付きの照明装置では、コンピュータ制御を行わなければならない等設置費用が高価なものになる問題があった。
【０００４】
本発明は、上述した従来技術における問題点を解決すべくなされたもので、その目的は、電源電力の無駄な消費を抑制し、安価かつ簡単な構造で、暗くなったときに自動的に点灯し、所定時間後に自動的に消灯する照明装置を提供することにある。
【課題を解決するための手段】
【０００５】
上記目的を達成するために、本発明による第１の手段としては、光を感知して感知信号を出力するセンサ手段と、当該感知信号に基づいて電荷を蓄積するコンデンサ手段と、前記センサ手段から感知信号が出力されないとき、前記コンデンサ手段からの前記蓄積された電荷の放電の間導通を得るスイッチ手段と、当該スイッチ手段の導通の間点灯する発光手段を備えたことを特徴とする照明装置とするものである。
【０００６】
本発明による第２の手段としては、前記第１の手段記載の照明装置において、前記センサ手段は、フォトトランジスタであることを特徴とする照明装置とするものである。
【０００７】
本発明による第３の手段としては、前記第１の手段または第２の手段記載の照明装置において、前記スイッチ手段は、前記コンデンサ手段からの電荷の放電によって作動するトランジスタとダーリントン接続したトランジスタによって構成されることを特徴とする照明装置とするものである。
【発明の効果】
【０００８】
本発明によれば、上記構成とすることによって、電源電力の無駄な消費を抑制し、安価かつ簡単な構造で、暗くなったときに自動的に点灯し、所定時間後に自動的に消灯する照明装置の提供を可能としたものである。
【発明を実施するための最良の形態】
【０００９】
本発明は、上記目的を達成するため、検討の結果、発光手段の点灯時間の制御を安価なコンデンサ装置で行うようにして、トランジスタと抵抗等の安価な部品を使用して簡単な構造で安価な、暗くなったときに自動的に点灯し、所定時間後に自動的に消灯する照明装置を提供可能としたものである。
【００１０】
本発明で使用されるセンサ手段としては、光を感知して感知信号を出力するものであれば、適当に使用することができるが、フォトトランジスタを使用し、さらにもう１個のトランジスタを使用してこれらのトランジスタをダーリントン接続して使用する場合には、比較的安価にかつ簡単な構造で使用可能となるので好ましい。
【００１１】
また、コンデンサ手段からの電荷の放電の間導通を得るスイッチ手段として、コンデンサ手段からの電荷の放電によって作動するトランジスタとダーリントン接続したトランジスタを使用したときには、微弱な放電電荷でも適切にスイッチングを行うことが可能となるので好適である。
【００１２】
本発明で使用される発光手段としては、ドアの取っ手等を認識できる程度の照度を有するものであれば、十分であり、豆電球等のランプやＬＥＤ等も使用できる。
【００１３】
以下、本発明に係わる照明装置の一実施形態を図面に基づいて説明する。
【００１４】
図１は、本発明による一実施形態の照明装置の構成を示す回路図で、Ｑ１はフォトトランジスタ、Ｑ２〜Ｑ５はトランジスタ、Ｒ１〜Ｒ６は抵抗、Ｃ１はコンデンサ、Ｌはランプ、Ｂは電源電池である。
【００１５】
次にこの装置の動作について説明すると、トイレや洗面室等の人が短時間だけ利用する部屋の照明が消灯され、フォトトランジスタＱ１が光を感知しない状態では、フォトトランジスタＱ１が作動しないため、トランジスタＱ２〜Ｑ５は、全て非導通状態であり、ランプＬが消灯していることはもとより、その他の回路にも電流が殆んど流れず電源電池Ｂの無駄な消費はない。
【００１６】
部屋の照明が点灯されると、フォトトランジスタＱ１が作動して導通状態となって（感知信号の出力）トランジスタＱ２にベース電流を供給する。その結果、フォトトランジスタＱ１及びこのフォトトランジスタＱ１とダーリントン接続されたトランジスタＱ２も導通状態となり、トランジスタＱ２のエミッタと抵抗Ｒ２の接続点が高電位になる。するとトランジスタＱ４には抵抗Ｒ３を介してベース電流が流れ、トランジスタＱ４は導通状態になる。トランジスタＱ４が導通状態になると抵抗Ｒ４を介してコンデンサＣ１が充電される。一方、トランジスタＱ３は、トランジスタＱ２のエミッタと抵抗Ｒ２の接続点が高電位のため、トランジスタＱ３のベース電圧が高電位となって非導通状態となり、その結果、トランジスタＱ５も非導通状態となってランプＬは点灯されない。このように、部屋の照明が点灯されてコンデンサＣ１が充電されるということは、部屋の照明が一旦点灯された、即ち、人が入室して部屋の照明を点灯したことを記憶したことになり、前記照明が消灯されてコンデンサＣ１が放電するまでの間ランプＬの点灯を維持することになる。その結果、部屋の照明が長時間点灯され続けても、電源電圧Ｂを数ボルトの低電圧、抵抗Ｒ２を数キロオームの高抵抗に選定することにより、電源電圧Ｂの無駄な消費は僅少であり、またコンデンサＣ１の充電もほぼ瞬時に完了するので、無駄な電力消費は殆んどない。
【００１７】
次に、人が部屋の利用が済み、部屋の照明が自動的に消灯されると、フォトトランジスタＱ１及びトランジスタＱ２は、非導通状態となる。従って、トランジスタＱ２のエミッタと抵抗Ｒ２の接続点が低電位となる。すると、トランジスタＱ４は非導通状態になると共に、コンデンサＣ１に蓄積されていた電荷が放電され、この放電された電荷によってトランジスタＱ３には、抵抗Ｒ５を介してベース電流が流れ、つまりはトランジスタＱ３が導通状態となってトランジスタＱ３とダーリントン接続されたトランジスタＱ５が導通状態となる。すると、トランジスタＱ５が導通することによりランプＬが点灯する。ランプＬには電源電圧Ｂから直接電流が流れるが、その回路のスイッチング素子としてのトランジスタＱ５のベース電流は、コンデンサＣ１に蓄積された電荷によるトランジスタＱ３のコレクタ電流であるからコンデンサＣ１に蓄積された電荷が放電し終わると、トランジスタＱ５は非導通状態となってランプＬは自動的に消灯する。
【００１８】
この場合に、コンデンサＣ１の値を１０マイクロファラド〜１０００マイクロファラドで適宜選定することによってトランジスタＱ３及びトランジスタＱ５の導通時間、つまりランプＬの点灯時間を、数十秒乃至数分間に広範囲に設定できる。また、ランプＬに代えてフォトカプラや継電器を接続すれば、電源を異にする負荷の大きな発光素子の点滅や負荷の制御も可能となる。
【００１９】
このように、トランジスタＱ３とトランジスタＱ５とをダーリントン接続を行うことによってコンデンサＣ１の放電による微弱電流によってもトランジスタＱ５のスイッチング動作を適切に行うことが可能となるので好適である。
【００２０】
次に、本発明による他の実施形態の照明装置について図２に基づいて説明する。
【００２１】
図２は、本発明による他の実施形態の照明装置の構成回路図を示し、この照明装置は、前記図１で示す照明装置と基本構成は同一であり、コンデンサ装置としてコンデンサＣ１と並列に接続された可変抵抗Ｒ７を使用する点において相違する。
【００２２】
このように、コンデンサＣ１と可変抵抗Ｒ７を並列に接続して、コンデンサＣ１に蓄積された電荷を分流放電する回路を構成すれば、その可変抵抗Ｒ７の抵抗値を変化させることによって、適切にランプＬの点灯時間を調節することが可能となる。
【００２３】
以上のように、本発明の実施形態の照明装置によれば、部屋の照明が点灯されたことを感知、記憶して部屋の照明が消灯された際に、一定時間だけ自動点灯し、その後自動消灯する照明装置を、僅かな、しかも、廉価な構成部品を使用するのみで提供可能となる。
【００２４】
また、本発明の実施形態の照明装置は、構成が簡単で持ち運び可能な構造とすることができるので、入退室用のドアの取っ手に掛けて置く等のどのような場所でも設置可能となり、設置場所の選択に裕度を与えることができる。
【図面の簡単な説明】
【００２５】
【図１】本発明の一実施形態に係わる照明装置の構成を示す回路図である。
【図２】本発明の他の実施形態に係わる照明装置の構成を示す回路図である。
【符号の説明】
【００２６】
Ｂ    電源電池
Ｃ１  コンデンサ
Ｑ１  フォトトランジスタ
Ｑ２〜Ｑ５  トランジスタ
Ｒ１〜Ｒ６  抵抗
Ｒ７  可変抵抗
【図１】
2007149538.tif 000003
【図２】
2007149538.tif 000004